(57)【要約】      （修正有）【課題】故障や性能劣化によって特定の送受信モジュールを交換した場合に、容易にアンテナ波面補正を可能とし、迅速にアレイアンテナ装置の機能・性能を回復させる。【解決手段】走査制御器２１と、走査制御器から走査制御信号ａ及び補正条件選択信号ｂを受信してモジュール制御信号ｄを出力する補正演算処理回路２５と、モジュール制御信号と高周波信号分配回路２３から出力される高周波信号を各送受信モジュール２７へ分配供給するための制御・高周波信号給電回路２６と、アンテナ素子２８及びアンテナ素子に接続され高周波信号の増幅と位相制御を行うための送受信モジュールを、単一ユニットにて一体化した複合ユニット２４を具備し、補正条件選択信号に対応したアンテナ波面の補正を行うための補正係数ｃとを乗算処理する演算回路３１と、補正条件選択信号に対応して最適なアンテナ波面を形成できる補正係数を記憶した補正係数メモリ回路３２とを備える。【選択図】図１
2005086424.tif 000002
【特許請求の範囲】
【請求項１】
走査制御信号及び補正条件選択信号を制御信号分配回路を介して出力する走査制御器と、
上記走査制御信号及び補正条件選択信号を受信することによりモジュール制御信号を出力する補正演算処理回路と、このモジュール制御信号と高周波信号分配回路から出力される高周波信号を各送受信モジュールへ分配供給するための制御・高周波信号給電回路と、アンテナ素子及びアンテナ素子に接続され高周波信号の増幅と位相制御を行うための送受信モジュールを、単一ユニットにて一体化した複合ユニットを具備し、
上記補正演算処理回路には、走査制御器から出力される走査制御信号及び補正条件選択信号を受信することにより、この走査制御信号に含まれるアレイアンテナのアンテナパターン形成を指定するための特性値と、補正条件選択信号に対応したアンテナ波面の補正を行うための補正係数とを乗算処理する演算回路と、上記補正条件選択信号に対応して最適なアンテナ波面を形成することができる補正係数を記憶した補正係数メモリ回路とを備えたことを特徴とするアレイアンテナ装置。
【請求項２】
上記補正演算処理回路の演算回路は、上記複合ユニット内における各送受信モジュール個々に高周波信号の振幅及び位相の少なくとも一方の特性値を補正するためのモジュール制御信号を演算する演算回路であることを特徴とする請求項１記載のアレイアンテナ装置。
【請求項３】
上記補正演算処理回路の補正係数メモリ回路は、上記複合ユニット内における各アンテナ素子に対応した伝送経路固有の高周波信号の振幅及び位相の少なくとも一方の特性値を補正して、最適なアンテナ波面を形成することができる補正係数を記憶するための回路を備えたことを特徴とする請求項１記載のアレイアンテナ装置。
【請求項４】
上記補正演算処理回路の補正係数メモリ回路は、上記複合ユニットの使用周波数や使用温度等の使用条件により変化する各アンテナ素子に対応した伝送経路固有の高周波信号の振幅及び位相の少なくとも一方の特性値を補正して、最適なアンテナ波面を形成することができる複数の補正係数を記憶するための回路を備えたことを特徴とする請求項１記載のアレイアンテナ装置。
【発明の詳細な説明】
【技術分野】
【０００１】
本発明は、送受信モジュールを備えたアクティブフェーズドアレイアンテナ装置の改良に係わる。
【背景技術】
【０００２】
従来のアレイアンテナ装置は、アンテナ素子とアンテナ素子に接続した送受信モジュールがアレイ状に配列され、これら複数全ての送受信モジュールそれぞれを走査制御器により一括して制御するよう構成されている。
【０００３】
上記走査制御器は、アレイ状に配列される複数のアンテナ素子毎の高周波信号の振幅および位相の少なくとも一方を補正制御するためのモジュール制御信号を演算し、この制御信号を各送受信モジュールに対して出力する。
【０００４】
このような構成のアレイアンテナ装置は、特開平１１−９７９２２号公報（特許文献１参照）により開示されている。
【０００５】
図３は従来のアレイアンテナ装置１を示す。
【０００６】
このアレイアンテナ装置１は、複数のアンテナ素子２と各アンテナ素子に接続される送受信モジュール３と送受信モジュールに信号を分配供給するための信号分配回路４とをそれぞれ個別に構成するとともに、更にこれらとは別構成にて送受信モジュールを一括制御するための走査制御器５を備えている。
【０００７】
送受信モジュール３は、アンテナ素子２に接続されアレイアンテナにて形成する所望のアンテナパターンに適合した高周波信号の増幅及び位相制御を行うためのものである。
【０００８】
信号分配回路４は、送受信モジュールと授受する高周波信号の分配または合成を行うとともに、走査制御器５から入力される送受信モジュールを制御するためのモジュール制御信号を各送受信モジュールへ分配供給するためのものである。
【０００９】
走査制御器５は、複数の送受信モジュール３に対して高周波信号の振幅や位相の制御を行うためのモジュール制御信号を信号分配回路４を介し出力することにより、アレイアンテナのアンテナパターンを所望の形状に制御している。
【００１０】
すなわち、従来のアレイアンテナ装置１は、アンテナ素子２と送受信モジュール３及び信号分配回路４をそれぞれ個別に構成し、更にこれらとは別構成にて走査制御器５を有する。
【００１１】
この走査制御器５内には、出力される全てのアンテナ素子２毎の振幅及び位相の少なくとも一方を補正できる補正係数を一括して記憶したメモリ回路（図示せず）を有し、かつアレイ状に複数配列された各送受信モジュール３への走査制御信号と、上記メモリ回路に記憶した補正係数との演算処理を行うための演算回路（図示せず）が備えられ、演算後の制御信号（モジュール制御信号）を各送受信モジュール３に対して出力するようにしている。
【特許文献１】特開平１１−９７９２２号公報（第３頁右欄の第４２行〜第４頁右欄第５行並びに図１）
【発明の開示】
【発明が解決しようとする課題】
【００１２】
このように、［特許文献１］によれば、送受信モジュール３とは別体構成の走査制御器５にて、全ての送受信モジュール３を含む各々の高周波信号伝送経路固有の特性バラツキを補正するための補正係数を一括して記憶し、アンテナパターン形成のための走査制御信号と上記補正係数とを演算処理することにより、各送受信モジュール３へ設定するためのモジュール制御信号を生成し、これを全ての送受信モジュール３に対して一括送信することによってアレイアンテナ装置１が機能するようになっている。
【００１３】
ところが、送受信モジュール３は、過酷な使用条件下では経年変化等による性能劣化や故障を起こしやすく、例えば特定の一つの送受信モジュール３が故障し交換した場合には、故障していない走査制御器５においても、内部に記憶した全ての送受信モジュールに対応する補正係数のうち、故障した送受信モジュールに該当する部分を、交換後の送受信モジュールを含む高周波信号伝送経路の特性に対応した補正係数に更新しなければならない。
【００１４】
このため、走査制御器５においては、この更新されるべき故障した送受信モジュールに該当する部分の他に、他の故障していない送受信モジュールの補正係数についても同一値を再び書き込み記憶させなければならず、アレイアンテナ装置の機能・性能を送受信モジュール故障前の状態に回復させるために相当の時間を要していた。
【００１５】
従って、アレイアンテナ装置１の用途によっては緊急時の対応が不可能であった。
【００１６】
本発明は、以上の点を考慮してなされたもので、アンテナ素子及び送受信モジュール等を一体化した複合ユニット内に、各アンテナ素子に対応する補正係数の記憶機能及びこの補正係数と走査制御信号とを演算処理するための演算機能を有する補正演算処理回路を一体的に形成することにより、送受信モジュール等の故障が発生した場合において、アレイアンテナ装置の機能・性能を故障前の状態に復元するための作業時間が大幅に短縮でき、整備性が格段に向上したアレイアンテナ装置を提供することを目的とする。
【課題を解決するための手段】
【００１７】
上記目的を達成するために、本発明によれば、走査制御信号及び補正条件選択信号を制御信号分配回路を介して出力する走査制御器と、上記走査制御信号及び補正条件選択信号を受信することによりモジュール制御信号を出力する補正演算処理回路と、このモジュール制御信号と高周波信号分配回路から出力される高周波信号を各送受信モジュールへ分配供給するための制御・高周波信号給電回路と、アンテナ素子及びアンテナ素子に接続され高周波信号の増幅と位相制御を行うための送受信モジュールを、単一ユニットにて一体化した複合ユニットを具備し、上記補正演算処理回路には、走査制御器から出力される走査制御信号及び補正条件選択信号を受信することにより、この走査制御信号に含まれるアレイアンテナのアンテナパターン形成を指定するための特性値と、補正条件選択信号に対応したアンテナ波面の補正を行うための補正係数とを乗算処理する演算回路と、上記補正条件選択信号に対応して最適なアンテナ波面を形成することができる補正係数を記憶した補正係数メモリ回路とを備えたことを特徴とするアレイアンテナ装置を提供する。
【発明の効果】
【００１８】
本発明によれば、経年変化等による特定の送受信モジュールの故障や性能劣化が発生した際には、走査制御器等の他の構成品に手を加えることなく、該当する送受信モジュールを含む複合ユニットのみを取り外し、送受信モジュールの交換もしくは修理を行うとともに、補正演算処理回路に記憶する補正係数を修復後の特性値へ更新するのみでよく、アレイアンテナ装置全体としての修復作業時間を短縮することができ、緊急に機能・性能を回復させることが可能なアレイアンテナ装置を提供することができる。
【発明を実施するための最良の形態】
【００１９】
本発明に係わるアレイアンテナ装置の実施形態について、添付図面を参照して説明する。
【００２０】
図１は、本発明に係わるアレイアンテナ装置の実施形態を示す概要図である。
【００２１】
このアレイアンテナ装置２０は、走査制御器２１，制御信号分配回路２２，高周波信号分配回路２３及び複数の複合ユニット２４から構成される。
【００２２】
それぞれの複合ユニット２４は、補正演算処理回路２５，制御・高周波信号給電回路２６及び複数の送受信モジュール２７，アンテナ素子２８を一体化したユニットである。
【００２３】
この補正演算処理回路２５は、走査制御器から出力される走査制御信号及び補正条件選択信号を受信することにより、この走査制御信号に含まれるアレイアンテナのアンテナパターン形成を指定するための特性値と、補正条件選択信号に対応したアンテナ波面の補正を行うための補正係数とを乗算処理する演算回路３１と、上記補正条件選択信号に対応して複合ユニット内における高周波信号の特性値の差や送受信モジュール等の構成品個々で有する特性値の差を最適に補正し、様々な条件下において最適なアンテナ波面を形成することができる補正係数を記憶した補正係数メモリ回路３２とから構成される。
【００２４】
また、制御・高周波信号給電回路２６は、補正演算処理回路２５から入力されるモジュール制御信号と高周波信号分配回路２３から入力される高周波信号を各送受信モジュール２７へ分配供給するための回路である。
【００２５】
複数のアンテナ素子２８に接続される送受信モジュール２７は、入力されるモジュール制御信号に従い、高周波信号の増幅及び位相制御を行うためのものである。
【００２６】
走査制御器２１は、複合ユニット内の送受信モジュールから出力する高周波信号を制御するために設けられるもので、制御信号発生器２９及び補正条件選択信号発生器３０から構成される。
【００２７】
制御信号発生器２９は、アンテナパターンを形成するために必要となる、各アンテナ素子の配置に対応した高周波信号の振幅及び位相の少なくとも一方の特性値を制御するための走査制御信号ａを生成し、制御信号分配回路２２へ出力するものである。
【００２８】
補正条件選択信号発生器３０は、複合ユニット内における高周波信号の特性値の差や送受信モジュール２７等の構成品個々で有する特性値の差を、様々な使用条件下においても最適に補正できるよう設けられたもので、補正演算処理回路２５に対して複合ユニット２４の使用条件を通知するための補正条件選択信号ｂを生成するものである。
【００２９】
このため、補正条件選択信号発生器３０は、複合ユニット２４の使用条件を検知する手段、例えば複合ユニット２４の周囲温度を検知する図示しない温度センサ等を有する。
【００３０】
これにより、アレイアンテナ装置２０の動作中は、この温度センサが随時作動して、複合ユニット２４の使用温度条件に合致する補正条件選択信号ｂが出力されるようになっている。
【００３１】
制御信号分配回路２２は、走査制御器２１から出力される走査制御信号ａ及び補正条件選択信号ｂを、複数の複合ユニット２４のそれぞれに設けられた補正演算処理回路２５へ出力するための分配回路である。
【００３２】
例えば、複合ユニット２４１に設けられる補正演算処理回路２５１は、演算回路３１１及び補正係数メモリ回路３２１を備え、制御信号分配回路２２から入力される走査制御信号ａ及び補正条件選択信号ｂに基づき演算したモジュール制御信号ｄを制御・高周波信号給電回路２６１側へ出力するものである。
【００３３】
具体的には、演算回路３１１は、補正条件選択信号ｂが入力されることにより、この補正条件選択信号ｂに対応した補正係数を、補正係数メモリ回路３２１から補正係数ｃとして抽出する。
【００３４】
この補正係数メモリ回路３２１には、複合ユニット２４１内の送受信モジュール２７１１〜２７１ｎ及び制御・高周波信号給電回路２６１を含む各々のアンテナ素子２８１１〜２８１ｎに対応した、それぞれの高周波信号特性のバラツキや、複合ユニットの使用条件、例えば周囲温度が変わることにより生じる高周波信号の特性バラツキ量の変化を補正するための補正係数ｃを予め記憶している。
【００３５】
さらに、演算回路３１１は、上記のように取得した補正係数ｃと、制御信号分配回路２２から補正条件選択信号ｂとともに同時に入力される走査制御信号ａとを乗算処理し、各送受信モジュール２７１１〜２７１ｎに対して、それぞれのモジュール制御信号ｄを制御・高周波信号給電回路２６１を介して供給するものである。
【００３６】
高周波信号分配回路２３は、複合ユニット２４と授受する高周波信号の分配または合成を行うものである。
【００３７】
アレイアンテナ装置２０の動作時は、モジュール制御信号ｄ、すなわち所望のアンテナパターンを形成するために高周波信号を最適値へ補正するための制御信号が、各送受信モジュール２７へ供給され、送受信モジュール２７では、この制御信号に従って、出力する高周波信号の特性値を変化させることにより所望のアンテナパターンを形成する。
【００３８】
複合ユニット２４１より出力される高周波信号特性のバラツキは、主に複合ユニット２４１内における制御・高周波信号給電回路２６１のうち高周波信号伝送経路の特性値の差や、送受信モジュール２７１１〜２７１ｎのそれぞれが持つ固有の特性値の差（個体間バラツキ）により生じる振幅及び位相量のバラツキである。
【００３９】
これらの振幅及び位相量のバラツキを補正して特性の均一化を図ることによって、アンテナパターンを形成するための基準となるアンテナ波面を得ることができる。
【００４０】
具体的には、例えば図２に示すように高周波信号伝送経路及び送受信モジュールを含めた特定のアンテナ素子の特性値を出力位相量と設定位相制御信号（設定位相コード）の関係において見た場合、例えばアンテナ素子１（これに接続される送受信モジュール及び高周波信号伝送経路を含む。以下、アンテナ素子２，３も同様）が持つ固有の特性値を線ｘで表す。なお、出力位相量の変化は、送受信モジュールにて設定位相コードに従い位相量を変化させているためである。
【００４１】
これに対して、例えばアンテナ素子２固有の特性値が図２の線ｙとした場合、同じ設定位相コードでの出力位相量が線ｘ（アンテナ素子１の特性）よりも相対的に大きいため、このバラツキを補正するには図２のΔｙで表す位相量をアンテナ素子２に接続される送受信モジュールの補正値（補正係数）として記憶しておけばよい。
【００４２】
また、例えばアンテナ素子３固有の特性値が図２の線ｚで示すものとすれば、線ｘの同じ設定位相コードでの出力位相量より相対的に小さいため、図２のΔｚで表す位相量をアンテナ素子３に接続される送受信モジュールの補正値（補正係数）として記憶する。
【００４３】
このようにして、複合ユニット２４１内の各アンテナ素子２８１１〜２８１ｎから出力される高周波信号の特性バラツキを補正し、特性の均一化を図ることができる。
【００４４】
例えば、複合ユニット２４１の補正演算処理回路２５１は、制御信号分配回路２２から入力される走査制御信号ａ及び補正条件選択信号ｂを受信すると同時に、この走査制御信号ａと補正条件選択信号ｂに対応する補正係数ｃとを乗算して求められるモジュール制御信号ｄを制御・高周波信号給電回路２６１へ出力するようになっている。
【００４５】
この補正係数ｃは、複合ユニット２４１の製造時において、各アンテナ素子２８１１〜２８１ｎから出力される高周波信号特性の均一化を図るための補正係数を、予め補正係数メモリ回路３２１に記憶させたものである。
【００４６】
また、この補正係数ｃは、アレイアンテナ装置２０の使用条件を予め想定し、この範囲内にて高周波特性の均一化を図ることができる係数であり、例えば使用温度の変化に対応する補正係数ｃについて［表１］に示すように、適宜、補正条件選択信号ｂに従い使用温度に対応した最適な補正係数ｃを選択できるようになっている。
【００４７】
表１には、例えば使用周波数を１０ＧＨｚとした場合に、使用温度が＋４０℃，＋２０℃，０℃及び−２０℃とした場合の「使用温度」と「補正係数」との関係を示す。
【表１】
2005086424.tif 000003
【００４８】
他の複合ユニット２４２〜２４ｍについても、複合ユニット２４１と同様の構成である。
【００４９】
ただし、補正演算処理回路２５２〜２５ｍの補正係数メモリ回路３２１〜３２ｍに記憶する補正係数ｃは、それぞれの複合ユニット２４２〜２４ｍの特性値のバラツキ度合いにより補正量は異なるものとなる。
【００５０】
すなわち、アレイアンテナ装置２０から放射される高周波信号の波面が、共通の波面上に形成されるよう予め補正係数が設定されている。
【００５１】
次に、アレイアンテナ装置２０の使用温度条件、例えば周囲温度により複合ユニット２４内の高周波信号特性のバラツキ量が変化する場合を想定して説明する。
【００５２】
例えば、周囲温度が＋４０℃である場合には、送受信モジュール２７の温度特性や高周波信号を伝送する制御・高周波信号給電回路２６の温度特性によって、常温時の条件で補正したアンテナ波面は乱れることは周知である。
【００５３】
例えば、［表１］に示すように、周囲温度が＋２０℃の場合の素子１の補正係数ｃは、０．９９５であり、この素子１に接続される送受信モジュールに対して補正係数が適用される。
【００５４】
また、例えば周囲温度が０℃であれば、素子１に対し補正係数ｃは０．９９１が適用されることになる。
【００５５】
このように選択された補正係数ｃは、複合ユニット２４の使用温度が変わることにより生じる高周波信号の特性バラツキ量の変化を補正することができる係数となる。
【００５６】
このように、アレイアンテナ装置２０は、複合ユニット２４内における高周波信号の特性値の差や送受信モジュール２７等の構成品個々で有する特性値の差を最適に補正するとともに、様々な使用条件下において随時変化する高周波信号の特性バラツキを常に最適値へと補正することができ、予め想定した範囲内において常に最適なアンテナ波面を形成することができる。
【００５７】
次に、アレイアンテナ装置２０の作用を図１を参照して説明する。
【００５８】
アレイアンテナ装置２０を始動すると、走査制御器２１にて外部からのアレイアンテナ制御信号に従い走査制御信号ａが生成され、制御信号分配回路２２に対して出力される。
【００５９】
制御信号分配回路２２は、入力された走査制御信号ａを複数の補正演算処理回路２５１〜２５ｍへ分配して出力する。
【００６０】
一方、アレイアンテナ装置２０の始動時の周囲温度が、例えば＋４０℃である場合には、走査制御器２１の補正条件選択信号発生器３０から上記＋４０℃に対応した補正条件選択信号ｂが生成され、走査制御信号ａと同時に制御信号分配回路２２へ出力される。
【００６１】
制御信号分配回路２２は、入力された補正条件選択信号ｂを複数の補正演算処理回路２５１〜２５ｍへ分配して出力する。
【００６２】
補正条件選択信号ｂを受信した、例えば補正演算処理回路２５１は、この補正条件選択信号ｂに適合する補正係数ｃを補正係数メモリ回路３２１から抽出し、同時に受信した走査制御信号ａと乗算処理してモジュール制御信号ｄを出力する。
【００６３】
すなわち、表１によれば、素子１には上記＋４０℃に対応する０．９６２の補正係数ｃが適用される。
【００６４】
従って、走査制御信号ａと補正係数ｃである０．９６２が乗算され、素子１のモジュール制御信号ｄとして出力されるようになっている。
【００６５】
このようにして補正演算処理回路２５１から出力されたモジュール制御信号ｄは、制御・高周波給電回路２６１にて各送受信モジュール２７１１〜２７１ｎへと供給され、各送受信モジュール２７１１〜２７１ｎでは、このモジュール制御信号ｄに従って出力する高周波信号の補正を行うことにより、各アンテナ素子２８１１〜２８１ｎから空間へ放射される高周波信号を制御し、所望のアンテナパターンを形成することができる。
【００６６】
従って、アレイアンテナ装置２０を始動すると、その時の周囲温度等の環境条件に対応した補正係数ｃが補正係数メモリ回路３２１から演算回路３１１へ取り込まれる。
【００６７】
そして、演算回路３１１にて、走査制御信号ａと補正係数ｃを乗算し、モジュール制御信号ｄとして制御・高周波給電回路２６１に対し出力される。
【００６８】
このモジュール制御信号ｄは、制御・高周波信号給電回路２６１により各送受信モジュール２７１１〜２７１ｎへ供給され、各送受信モジュール２７１１〜２７１ｎにて出力する高周波信号を所望の値に補正した後、それぞれに接続されたアンテナ素子２８１１〜２８１ｎにより空間へと放射されるようになっている。
【００６９】
なお、補正演算処理回路２５２〜２５ｍは、補正演算処理回路２５１と同様に、それぞれの条件に合った走査制御信号ａ及び補正条件選択信号ｂによりモジュール制御信号ｄが算出され、各送受信モジュール２７ｍ１〜２７ｍｎにてモジュール制御信号ｄに従った高周波信号の補正がなされ、各アンテナ素子２８ｍ１〜２８ｍｎにより空間へ放射される。
【００７０】
これにより、アレイアンテナ装置２０にて所望のアンテナパターンを形成している。
【００７１】
なお、上記は主に送信時の作用を説明したが、受信時においても高周波信号の流れが逆になるだけであり、送信時と同様にモジュール制御信号ｄにより送受信モジュール２７にて高周波信号の補正を行うことは言うまでもない。
【００７２】
ここで、複合ユニット２４の、例えば複合ユニット２４１の送受信モジュール２７１１が故障した場合について説明する。
【００７３】
この場合には、複合ユニット２４１をアレイアンテナ装置２０から取り外し、修理して再利用するか、もしくは新品と交換する。
【００７４】
例えば、修理して再利用する場合、取り外した複合ユニット２４１のうち、故障した送受信モジュール２７１１を正常品と交換する。
【００７５】
次に、交換した送受信モジュール２７１１が含まれる高周波信号の伝送特性、すなわち、制御・高周波信号給電回路２６１，送受信モジュール２７１１及びアンテナ素子２８１１の経路を伝達する高周波信号の特性から交換後の補正係数ｃを求め、補正係数メモリ回路３２１に記憶された送受信モジュール２７１１〜２７１ｎに対応する補正係数のうち、送受信モジュール２７１１に該当する部分を交換後の補正係数ｃの値へ更新する。
【００７６】
そして、この取り外した複合ユニット２４１をアレイアンテナ装置２０に取り付けることで、送受信モジュール２７１１の故障前の状態に回復することができる。
【００７７】
このように、アレイアンテナ装置２０は、走査制御信号ａ及び補正条件選択信号ｂを制御信号分配回路２２を介して出力する走査制御器２１と、上記走査制御信号ａ及び補正条件選択信号ｂを受信することによりモジュール制御信号ｃを出力する補正演算処理回路２５と、このモジュール制御信号ｃと高周波信号分配回路２３から出力される高周波信号を各送受信モジュール２７へ分配供給するための制御・高周波信号給電回路２６と、アンテナ素子２８及びアンテナ素子２８に接続され高周波信号の増幅と位相制御を行うための送受信モジュール２７を、単一ユニットにて一体化した複合ユニット２４を具備し、上記補正演算処理回路２５には、走査制御器２１から出力される走査制御信号ａ及び補正条件選択信号ｂを受信することにより、この走査制御信号ａに含まれるアレイアンテナのアンテナパターン形成を指定するための特性値と、補正条件選択信号ｂに対応したアンテナ波面の補正を行うための補正係数ｃとを乗算処理する演算回路３１と、上記補正条件選択信号ｂに対応して複合ユニット２４内における高周波信号の特性値の差や送受信モジュール２７等の構成品個々で有する特性値の差を最適に補正し、様々な条件下において最適なアンテナ波面を形成することができる補正係数ｃを記憶した補正係数メモリ回路３２とを備えた構成としたことにより、経年変化等による特定の送受信モジュールの故障や性能劣化が発生した際には、走査制御器等の他の構成品に手を加えることなく、該当する送受信モジュールを含む複合ユニットのみを取り外し、送受信モジュールの交換もしくは修理を行うとともに、補正演算処理回路に記憶する補正係数を修復後の特性値へ更新するのみでよく、アレイアンテナ装置全体としての修復作業時間を短縮することができ、緊急に機能・性能を回復させることが可能なアレイアンテナ装置を提供することができる。
【００７８】
更には、より緊急性を要する場面においては、複合ユニット内の高周波信号の特性値の差や送受信モジュール等の構成品個々で生じる個体間の特性値のバラツキを補正するための補正係数を、この複合ユニット内に記憶していることから、故障もしくは性能劣化した送受信モジュールを含む複合ユニットを、即座に正常な新品の複合ユニットと交換することで、補正係数の更新や書き換えを行うことなく、アレイアンテナ装置の機能・性能を故障前の状態に回復させることができる。
【００７９】
なお、この場合の交換された故障もしくは性能劣化した送受信モジュールを含む複合ユニットについては、アレイアンテナ装置の使用の有無に制限されず、複合ユニット単品を作業性の優れる作業場に移動した後、該当する送受信モジュールの交換もしくは修理を行うとともに、補正演算処理回路に記憶する補正係数を修復後の特性値へ更新することにより、機能・性能の復元が可能となり修復作業が大幅に改善される。
【００８０】
なお、本発明のアレイアンテナ装置２０によれば、複数の送受信モジュール２７を有する複合ユニット２４単位で一つの補正演算処理回路２５を構成したが、各送受信モジュール個別に補正演算処理回路２４を構成してもよい。
【００８１】
その他、本発明の要旨である、最適なアンテナ波面を形成するために補正しなければならない構成品と、この補正を行うために必要となる回路とを一体的に設ける点を逸脱しない範囲での種々の変形を施しても同様に実施可能であることは言うまでもない。
【図面の簡単な説明】
【００８２】
【図１】本発明のアレイアンテナ装置の実施形態を示す概要図。
【図２】本発明を構成する送受信モジュールの特性バラツキの関係を示す図。
【図３】従来のアレイアンテナ装置を示す概要図。
【符号の説明】
【００８３】
２０  アレイアンテナ装置
２１  走査制御器
２２  制御信号分配回路
２３  高周波信号分配回路
２４  複合ユニット
２５  補正演算処理回路
２６  制御・高周波信号給電回路
２７  送受信モジュール
２８  アンテナ素子
２９  制御信号発生器
３０  補正条件選択信号発生器
３１  演算回路
３２  補正係数メモリ回路
ａ  走査制御信号
ｂ  補正条件選択信号
ｃ  補正係数
ｄ  モジュール制御信号
【図１】
2005086424.tif 000004
【図２】
2005086424.tif 000005
【図３】
2005086424.tif 000006